(57)【特許請求の範囲】
【請求項１】
ロータ外周に設けられる複数の凹部に径方向進退可能に収納されるベーンと、ベーンの内端側に開放する孔部に収納されてベーンを径方向外向きに弾発付勢するコイルバネと、凹部の底側に配設されてコイルバネを支持する支持体とを含むベーンポンプであって、
支持体は、弾性変形可能な板からなる基台部と、基台部において前記孔部に対応する位置に設けられてコイルバネが外嵌される凸部とを有し、かつ、前記基台部が、径方向での弾性的な伸縮を許容するように屈曲されている、ことを特徴とするベーンポンプ。
【請求項２】
ロータ外周に設けられる複数の凹部に径方向進退可能に収納されるベーンと、ベーンの内端側に開放する孔部に収納されてベーンを径方向外向きに弾発付勢するコイルバネと、凹部の底側に配設されてコイルバネを支持する支持体とを含むベーンポンプであって、
支持体は、前記凹部の底に着座される弾性変形可能な帯状板からなる基台部と、この基台部の長手方向途中に一端が結合され前記コイルバネが外嵌されるピンからなる凸部とを有し、かつ、前記基台部である帯状板が、径方向での弾性的な伸縮を許容するように屈曲されている、ことを特徴とするベーンポンプ。
【請求項３】
ロータ外周に設けられる複数の凹部に径方向進退可能に収納されるベーンと、ベーンの内端側に開放する孔部に収納されてベーンを径方向外向きに弾発付勢するコイルバネと、凹部の底側に配設されてコイルバネを支持する支持体とを含むベーンポンプであって、
支持体は、弾性変形可能な帯状板を屈曲して形成されるものからなり、その長手方向両端部分が前記凹部の底に着座する基台部とされ、長手方向途中がＵ字形に屈曲されて前記コイルバネが外嵌される凸部とされており、かつ、前記基台部が、径方向での弾性的な伸縮を許容するように屈曲されている、ことを特徴とするベーンポンプ。
【請求項４】
請求項１ないし３のいずれかに記載のベーンポンプにおいて、前記凸部の付け根側に、コイルバネの端縁が係合される係止部が設けられている、ことを特徴とするベーンポンプ。
【請求項５】
請求項３に記載のベーンポンプにおいて、前記凸部とされるＵ字形屈曲部分が、密接されている、ことを特徴とするベーンポンプ。
【発明の詳細な説明】
【０００１】
【発明の属する技術分野】
本発明は、ベーンポンプに関する。このベーンポンプは、例えば４輪駆動用駆動連結装置などに利用される。
【０００２】
【従来の技術】
従来のこの種のベーンポンプとして、実開平２−１２２１９１号に示すようなものが知られている。
【０００３】
この公報技術では、ベーンを径方向外向きに弾発付勢するコイルバネを、側面視ほぼコ字形に屈曲した帯状金属板からなる基台部分と、この基台部分の長手方向途中の２カ所に植設されるピンとからなるばね保持部材で支持するようにしている。なお、基台部分の全体は、ほぼ平坦とされていて、ロータの凹部の底面に密接させるようにしている。
【０００４】
【発明が解決しようとする課題】
ところで、上記従来例では、近年益々要求されるベーンポンプの小型化を図るにあたって、改良の余地がある。
【０００５】
例えば、ベーンに対する弾発付勢力をコイルバネのばね力のみに頼っているため、所要の弾発付勢力を得るにはコイルバネの長さ寸法あるいは巻径寸法などを調整する必要がある。
【０００６】
しかしながら、コイルバネの巻径寸法を小さくして長さ寸法を長くする場合だと、ベーンの孔部の深さ寸法を深くしなければならず、ベーンの強度を維持するためにベーンの径方向寸法を大きくする必要がある。また、コイルバネの長さ寸法を短くして巻径寸法を大きくする場合だと、ベーンの厚み寸法を厚くしなければならず、ロータの凹部の周方向幅寸法を大きくする必要がある。このように、いずれにしても、ベーンポンプの径方向での小型化が限界になっている。
【０００７】
したがって、本発明は、ベーンポンプにおいて、コイルバネの支持体を改良することにより、径方向での小型化を可及的に推進することを目的としている。
【０００８】
【課題を解決するための手段】
本発明の第１のベーンポンプは、ロータ外周に設けられる複数の凹部に径方向進退可能に収納されるベーンと、ベーンの内端側に開放する孔部に収納されてベーンを径方向外向きに弾発付勢するコイルバネと、凹部の底側に配設されてコイルバネを支持する支持体とを含むもので、支持体は、弾性変形可能な板からなる基台部と、基台部において前記孔部に対応する位置に設けられてコイルバネが外嵌される凸部とを有し、かつ、前記基台部が、径方向での弾性的な伸縮を許容するように屈曲されている。
【０００９】
本発明の第２のベーンポンプは、ロータ外周に設けられる複数の凹部に径方向進退可能に収納されるベーンと、ベーンの内端側に開放する孔部に収納されてベーンを径方向外向きに弾発付勢するコイルバネと、凹部の底側に配設されてコイルバネを支持する支持体とを含むもので、支持体は、前記凹部の底に着座される弾性変形可能な帯状板からなる基台部と、この基台部の長手方向途中に一端が結合され前記コイルバネが外嵌されるピンからなる凸部とを有し、かつ、前記基台部である帯状板が、径方向での弾性的な伸縮を許容するように屈曲されている。本発明の第３のベーンポンプは、ロータ外周に設けられる複数の凹部に径方向進退可能に収納されるベーンと、ベーンの内端側に開放する孔部に収納されてベーンを径方向外向きに弾発付勢するコイルバネと、凹部の底側に配設されてコイルバネを支持する支持体とを含むもので、支持体は、弾性変形可能な帯状板を屈曲して形成されるものからなり、その長手方向両端部分が前記凹部の底に着座する基台部とされ、長手方向途中がＵ字形に屈曲されて前記コイルバネが外嵌される凸部とされており、かつ、前記基台部が、径方向での弾性的な伸縮を許容するように屈曲されている。
【００１０】
上記本発明では、コイルバネの支持体について、ばね機能を持たせることにより、コイルバネの寸法を縮小できるようにしている。例えば、支持体によるばね力の分について、使用するコイルバネの長さ寸法を短くするか、あるいは巻径寸法を小さくすることが可能になる。これにより、ベーンの径方向寸法あるいは周方向幅寸法を小さくすることが可能になる。
【００１１】
ところで、第１ないし第３のいずれかのベーンポンプにおいては、前記凸部の付け根側に、コイルバネの端縁が係合される係止部を設けることができる。この場合、ベーンポンプの組み立て過程においてコイルバネを支持体と一体に取り扱えるようになる。
【００１２】
また、第３のベーンポンプにおいては、前記凸部とされるＵ字形屈曲部分を密接することができる。この場合、密接させずに離している場合に比べて凸部の幅寸法が小さくなるので、ここに外嵌装着されるコイルバネの巻径およびベーンの孔部の径寸法を小さくできるようになる。
【００１３】
【発明の実施の形態】
本発明の詳細を図１ないし図５に示す各実施形態に基づいて説明する。
【００１４】
図１ないし図３は本発明の実施形態１にかかり、図１は、ベーンポンプの縦断面図、図２は、図１の（２）−（２）線断面の矢視図、図３は、コイルバネの支持体を示す正面図である。図中、１はベーンポンプの全体を示している。
【００１５】
この実施形態のベーンポンプ１は、２分割のケース２と、このケース２の内周にほぼ同心状に回転可能に支持されるロータ軸３と、ケース２の内周に内嵌固定されるカムリング４と、ロータ軸３の外周にスプライン嵌合されるロータ５と、ロータ５の外周の円周数カ所に設けられる凹部５ａ・・・に径方向進退可能に個別に収納されるベーン６・・・と、ベーン６の内端側に開放する孔部６ａに収納されてベーン６を径方向外向きに弾発付勢するコイルバネ７・・・と、凹部５ａの底側に配設されてコイルバネ７を支持する支持体８とを備えている。
【００１６】
この実施形態１で開示するベーンポンプ１は、従来周知のものと基本構成を同じにしており、その動作についても周知であるので説明を省略する。図例のベーンポンプ１では、主として支持体８の構成に特徴がある。
【００１７】
この支持体８は、ロータ５の凹部５ａの底に着座される弾性変形可能な帯状金属板からなる基台部９と、この基台部９の長手方向中央に一端がかしめにより結合されコイルバネ７が外嵌されるピンからなる凸部１０とを有するツーピース構造になっている。そして、基台部９である帯状金属板は、正面視ほぼ「へ」の字形に屈曲されており、この屈曲によって径方向で弾性的に伸縮しうるようになっている。また、ピンからなる凸部１０は、その付け根側にコイルバネ７の端縁が係合される係止部としての小径部１０ａが設けられている。この小径部１０ａの径寸法に応じて、コイルバネ７の一端の座巻部分の巻径寸法が小さく設定されている。
【００１８】
このように、支持体８にばね機能を持たせているから、その分についてコイルバネ７のばね力を弱くできるようになる。具体的に、例えば、支持体８によるばね力の分について、使用するコイルバネ７の長さ寸法を短くするか、あるいは巻径寸法を小さくすることができる。これにより、ベーン６の孔部６ａの深さ寸法を浅くしたり、あるいは孔部６ａの径寸法を小さくしたりすることができて、ベーン６の径方向寸法あるいは周方向幅寸法を小さくできるなど、ベーンポンプ１全体の小型化に貢献できる。
【００１９】
図４および図５は本発明の実施形態２にかかり、図４は、コイルバネの支持体を示す正面図、図５は、支持体の側面図である。この実施形態２では、支持体８を１枚の弾性変形可能な帯状金属板を屈曲して形成されるワンピース構造としている。
【００２０】
つまり、支持体８は、帯状金属板の長手方向中央を支点として２つ折りに屈曲され、２つの片が長手方向途中から互いに引き離す方向にほぼ９０度屈曲されたものであり、この屈曲された部分が基台部９とされ、前述のＵ字形の屈曲部分が凸部１０とされている。そして、基台部９は、正面から全体的に見てほぼ「へ」の字形に屈曲されており、この屈曲によって径方向で弾性的に伸縮しうるようになっている。また、凸部１０であるＵ字形屈曲部分は、密接されていて、その基台部９側の付け根部分に係合部としての切欠き１０ｂが設けられている。
【００２１】
この実施形態２の支持体８は、１枚の帯状金属板からなるワンピース構造であるから、上記実施形態１に比べて部品点数および製造工程数を削減できるようになる。また、前述の凸部１０とされるＵ字形屈曲部分を密接していれば、密接させずに離している場合に比べて凸部１０の幅寸法が小さくなるので、ここに外嵌装着されるコイルバネ７の巻径寸法およびベーン６の孔部６ａの径寸法を小さくできるようになる。これにより、ベーン６の肉厚寸法を薄くできて、ベーン６の材料コストの低減およびポンプ室の容積拡大化に貢献できるようになる。
【００２２】
なお、本発明は上記実施例のみに限定されるものではなく、種々な応用や変形が考えられる。
【００２３】
（１）  上記実施形態１，２のベーンポンプでは、その基本構成を従来から周知の構成にした例を挙げているが、本発明の特徴と関係のない部分については種々な形態のものとすることができる。
【００２４】
（２）  上記実施形態１，２では、ばね機能を有する支持体８として、その基台部９を屈曲しているが、この屈曲形状について波形やその他種々な形状に設定することができる。
【００２５】
（３）  上記実施形態１，２では、１つの支持体８に１つの凸部１０を設けるようにしているが、その数は任意である。
【００２６】
【発明の効果】
請求項１ないし３の発明では、コイルバネの支持体にばね機能を持たせることにより、コイルバネの寸法を縮小できるように工夫しているから、例えば支持体によるばね力の分について、使用するコイルバネの長さ寸法を短くするか、あるいは巻径寸法を小さくすることができるようになる。これにより、ベーンの孔部の深さ寸法を浅くしたり、あるいは孔部の径寸法を小さくしたりすることができて、ベーンの径方向寸法あるいは周方向幅寸法を小さくできるなど、ベーンポンプ全体の小型化に貢献できる。
【００２７】
請求項４の発明のように、支持体にコイルバネを係合させて一体化していれば、ベーンポンプの組み立て過程において取り扱いが簡単になり、組立効率が向上し、生産性の向上に貢献できるようになる。
【００２８】
請求項５の発明のように、１枚の帯状板で屈曲形成する支持体において、凸部とされるＵ字形屈曲部分を密接すれば、密接させずに離している場合に比べて凸部の幅寸法を小さくすることができるので、ここに外嵌装着されるコイルバネの巻径寸法およびベーンの孔部の径寸法を小さくできるようになる。これにより、ベーンの肉厚寸法を薄くできて、ベーンの材料コストの低減およびポンプ室の容積拡大化に貢献できるようになる。
【図面の簡単な説明】
【図１】本発明の一実施形態のベーンポンプの縦断面図
【図２】図１の（２）−（２）線断面の矢視図
【図３】コイルバネの支持体を示す正面図
【図４】コイルバネの支持体を示す正面図
【図５】コイルバネの支持体を示す側面図
【符号の説明】
１      ベーンポンプ
２      ケース
３      ロータ軸
４      カムリング
５      ロータ
５ａ    ロータの凹部
６      ベーン
６ａ    ベーンの孔部
７      コイルバネ
８      支持体
９      支持体の基台部
１０      支持体の凸部
【図１】
0003614611.tif 000002
【図２】
0003614611.tif 000003
【図３】
0003614611.tif 000004
【図４】
0003614611.tif 000005
【図５】
0003614611.tif 000006